(57)【要約】      （修正有）【課題】伸縮性に優れ、見栄えも良好なシャツ及びその製造方法を提供する。【解決手段】以下（１）〜（５）のいずれかの重なり部を形成する重なり部形成工程と、重なり部が、重なり部を構成する少なくとも一つの形成部と重なるように折り曲げた折り曲げ部１５３，１５４を形成する折り曲げ部形成工程と、すくい縫いによって、折り曲げ部１５３，１５４の折り曲げ方向の先端部と、一つの形成部とを縫ってすくい縫い部１５６を形成するすくい縫い工程を含む方法とする。（１）前身頃形成部の縫い代と後身頃形成部の縫い代の重なり部（２）前身頃形成部の縫い代と袖形成部の縫い代の重なり部（３）後身頃形成部の縫い代と袖形成部の縫い代の重なり部（４）肩ヨーク形成部の縫い代と袖形成部の縫い代の重なり部（５）袖形成部の周方向の一方側の縫い代と他方側の縫い代の重なり部【選択図】図１１
2018104863.tif 000002
【特許請求の範囲】
【請求項１】
少なくとも、前身頃形成部、後身頃形成部、肩ヨーク形成部、及び袖形成部を縫製して形成するシャツの製造方法であって、
以下（１）〜（５）のいずれかの重なり部を形成する重なり部形成工程と、
前記重なり部が、当該重なり部を構成する少なくとも一つの形成部と重なるように折り曲げた折り曲げ部を形成する折り曲げ部形成工程と、
すくい縫いによって、前記折り曲げ部の折り曲げ方向の先端部と、前記一つの形成部とを縫ってすくい縫い部を形成するすくい縫い工程を含むことを特徴とするシャツの製造方法。
（１）前身頃形成部の縫い代と後身頃形成部の縫い代が重なった重なり部
（２）前身頃形成部の縫い代と袖形成部の縫い代が重なった重なり部
（３）後身頃形成部の縫い代と袖形成部の縫い代が重なった重なり部
（４）肩ヨーク形成部の縫い代と袖形成部の縫い代が重なった重なり部
（５）袖形成部を筒状に折り曲げ、袖形成部の周方向の一方側の縫い代と他方側の縫い代が重なった重なり部
【請求項２】
本縫いによって、前記重なり部を構成する縫い代間を縫い合わせて本縫い部を形成する本縫い工程を含み、
前記すくい縫い工程は、前記本縫い工程後に実施することを特徴とする請求項１に記載のシャツの製造方法。
【請求項３】
前記重なり部を構成する少なくとも一つの縫い代は、すくい縫いの縫い方向の基端側に前記縫い方向とは逆方向に張り出した基端側張出領域を備えていることを特徴とする請求項１又は２に記載のシャツの製造方法。
【請求項４】
前記基端側張出領域の大部分又は全部を除去する張出領域除去工程を含むことを特徴とする請求項３に記載のシャツの製造方法。
【請求項５】
前記重なり部を構成する少なくとも一つの縫い代は、すくい縫いの縫い方向の先端側に縫い方向に張り出した先端側張出領域を備えていることを特徴とする請求項１乃至４のいずれかに記載のシャツの製造方法。
【請求項６】
以下（６）〜（８）のいずれかの重なり部が、前記重なり部を構成する前身頃、後身頃、肩ヨーク、袖のいずれかの重なり部構成部材と重なるように折り曲げられた折り曲げ部を有し、
前記折り曲げ部は、帯状に延びるものであって、少なくとも前記重なり部が本縫いされた本縫い部を備えており、
前記本縫い部は、前記折り曲げ部の折り曲げ方向の基端部又はその近傍に設けられ、２本以上の糸によって前記折り曲げ部の延び方向に沿って設けられており、
前記折り曲げ部の折り曲げ方向の先端部と、前記重なり部構成部材の境界部分に跨って設けられたすくい縫い部を備え、
前記本縫い部と前記すくい縫い部との最大間隔が２ｍｍ以上６ｃｍ以下であることを特徴とするシャツ。
（６）前身頃の縫い代と後身頃の縫い代の重なり部
（７）前身頃、後身頃、及び肩ヨークの縫い代と、袖の縫い代の重なり部
（８）袖の周方向における袖の一方側の縫い代と袖の他方側の縫い代の重なり部
【請求項７】
前記すくい縫い部は、１本の糸によって構成されていることを特徴とする請求項６に記載のシャツ。
【請求項８】
前記すくい縫い部は、全体として前記折り曲げ部の延び方向に沿って延びるものであり、
前記すくい縫い部の延び方向の一方の端部は、前記折り曲げ部の延び方向の一方の端部から１ｃｍ以内の範囲に位置しており、
前記すくい縫い部の延び方向の他方の端部は、前記折り曲げ部の延び方向の他方の端部から１ｃｍ以内の範囲に位置していることを特徴とする請求項６又は７に記載のシャツ。
【請求項９】
本体部と前立てを有した前身頃を備え、
前記前立ては、前記本体部の縁に沿って帯状に延びるものであって、複数回裏側に折り返されて形成された折り返し部を有し、
前記折り返し部と、前記本体部とに跨るすくい縫い部を備えていることを特徴とするシャツ。
【発明の詳細な説明】
【技術分野】
【０００１】
本発明は、ワイシャツ等のシャツ及びその製造方法に関する。
【背景技術】
【０００２】
従来から、ワイシャツ等のシャツは、前身頃、後身頃、袖、衿、肩ヨーク等を構成する生地をいわゆる折り伏せ縫いによって縫い合わせて形成される（例えば、特許文献１）。
この折り伏せ縫いは、あらかじめ裁ち目に沿って地縫い線を生地に形成し、生地を中表に重ね合わせて縫い代を形成する。そして、縫い代を地縫い線に沿って本縫いミシンで本縫いする。その後、縫い代の裁ち目付近を折り返し、当該縫い代の裁ち目を一方の生地に合わせて当該裁ち目近傍を再度本縫いミシンで本縫いする。
こうすることによって、地縫い線に沿った部分の縫い目は、生地の境界部分に位置して隠され、裁ち目付近の縫い目のみが表面に現れる。
【先行技術文献】
【特許文献】
【０００３】
【特許文献１】特許第５９７６９６６号公報
【発明の概要】
【発明が解決しようとする課題】
【０００４】
しかしながら、従来のシャツの製造方法の場合、継ぎ合わせ方向に２つの本縫い部を形成するので、しっかりと固定され、腕を回したりして継ぎ目に負荷がかかっても、伸縮性に乏しく、使用者に若干圧迫感を与えるおそれがあった。そのため、更なる着心地の向上が望まれていた。
また、裁ち目を本縫いで縫う場合、表面に連続した直線状の縫い目が大きく模様として出てしまうため、縫い目が目立つという問題もあった。
【０００５】
そこで、本発明は、従来に比べて、伸縮性に優れ、見栄えも良好なシャツ及びシャツの製造方法を提供することを課題とする。
【課題を解決するための手段】
【０００６】
上記した課題を解決するための請求項１に記載の発明は、少なくとも、前身頃形成部、後身頃形成部、肩ヨーク形成部、及び袖形成部を縫製して形成するシャツの製造方法であって、以下（１）〜（５）のいずれかの重なり部を形成する重なり部形成工程と、前記重なり部が、当該重なり部を構成する少なくとも一つの形成部と重なるように折り曲げた折り曲げ部を形成する折り曲げ部形成工程と、すくい縫いによって、前記折り曲げ部の折り曲げ方向の先端部と、前記一つの形成部とを縫ってすくい縫い部を形成するすくい縫い工程を含むことを特徴とするシャツの製造方法である。
（１）前身頃形成部の縫い代と後身頃形成部の縫い代が重なった重なり部
（２）前身頃形成部の縫い代と袖形成部の縫い代が重なった重なり部
（３）後身頃形成部の縫い代と袖形成部の縫い代が重なった重なり部
（４）肩ヨーク形成部の縫い代と袖形成部の縫い代が重なった重なり部
（５）袖形成部を筒状に折り曲げ、袖形成部の周方向の一方側の縫い代と他方側の縫い代が重なった重なり部
【０００７】
本発明の方法によれば、すくい縫いによりすくい縫い部を形成するので、すくい縫い部の縫い目が表側にほとんど出ない。そのため、すくい縫いミシン等で工業的に大量生産した場合でも、縫い目が目立ちにくく、あたかも手縫いかのような印象を与えることができ、高級感を演出することができる。
また本発明の方法によれば、製造されるシャツがすくい縫いによって、折り曲げ部の折り曲げ方向の先端部と、重なり部を構成する前身頃形成部、後身頃形成部、袖形成部のいずれかの形成部が縫い合わされているので、使用者がシャツを着用し、シャツにテンションがかかった場合でも、すくい縫い部がわずかに広がり、伸縮性に優れ、良好な着心地となる。
【０００８】
請求項２に記載の発明は、本縫いによって、前記重なり部を構成する縫い代間を縫い合わせて本縫い部を形成する本縫い工程を含み、前記すくい縫い工程は、前記本縫い工程後に実施することを特徴とする請求項１に記載のシャツの製造方法である。
【０００９】
本発明の方法によれば、すくい縫い工程を本縫い工程後に実施するので、本縫い部により、すくい縫いを行う際に縫い合わせ部分が解けず、安定してすくい縫いを行うことができる。
【００１０】
ところで、すくい縫いミシンを使用してすくい縫いを行う場合、すくい縫いミシンは、押さえによって押さえた状態で縫い合わせる生地を縫い方向に縫う必要があるので、押さえで押さえる部分が縫い目の前後に必要となる。そのため、通常、すくい縫いミシンは、生地の端部から縫うことができず、端部から少し離れた位置から縫い目が形成されることになる。
【００１１】
そこで、請求項３に記載の発明は、前記重なり部を構成する少なくとも一つの縫い代は、すくい縫いの縫い方向の基端側に前記縫い方向とは逆方向に張り出した基端側張出領域を備えていることを特徴とする請求項１又は２に記載のシャツの製造方法である。
【００１２】
本発明の方法によれば、縫い代がすくい縫いの縫い方向の基端側に前記縫い方向とは逆方向に張り出した基端側張出領域を備えているので、すくい縫いミシン等を使用してすくい縫いを行う際に、基端部もすくい縫いを行うことができる。
【００１３】
請求項４に記載の発明は、前記基端側張出領域の大部分又は全部を除去する張出領域除去工程を含むことを特徴とする請求項３に記載のシャツの製造方法である。
【００１４】
ここでいう「大部分」とは、全体の５０％超過の範囲をいう。
【００１５】
本発明の方法によれば、基端側張出領域を除去する張出領域除去工程を含むので、基端側張出領域が他の部分の縫い合わせの際に邪魔になりにくい。
【００１６】
ところで、すくい縫いによる縫い方向端部側の縫い目は、糸を基端側の縫い目に通して固定しない限り、簡単に糸が緩む。そのため、縫い方向先端部まで縫い目を設けるためには、縫い対象の端部近傍又は端部を超えて縫う必要がある。
【００１７】
そこで、請求項５に記載の発明は、前記重なり部を構成する少なくとも一つの縫い代は、すくい縫いの縫い方向の先端側に縫い方向に張り出した先端側張出領域を備えていることを特徴とする請求項１乃至４のいずれかに記載のシャツの製造方法である。
【００１８】
本発明の方法によれば、縫い代がすくい縫いの縫い方向の先端側に前記縫い方向に張り出した先端側張出領域を備えているので、例えば、すくい縫いミシンを使用してすくい縫いを行う際に、先端部まで、或は先端部を超えて先端側張出領域まですくい縫いを行うことができる。そのため、端部まですくい縫い部を形成しやすい。
【００１９】
請求項６に記載の発明は、以下（６）〜（８）のいずれかの重なり部が、前記重なり部を構成する前身頃、後身頃、肩ヨーク、袖のいずれかの重なり部構成部材と重なるように折り曲げられた折り曲げ部を有し、前記折り曲げ部は、帯状に延びるものであって、少なくとも前記重なり部が本縫いされた本縫い部を備えており、前記本縫い部は、前記折り曲げ部の折り曲げ方向の基端部又はその近傍に設けられ、２本以上の糸によって前記折り曲げ部の延び方向に沿って設けられており、前記折り曲げ部の折り曲げ方向の先端部と、前記重なり部構成部材の境界部分に跨って設けられたすくい縫い部を備え、前記本縫い部と前記すくい縫い部との最大間隔が２ｍｍ以上６ｃｍ以下であることを特徴とするシャツである。
（６）前身頃の縫い代と後身頃の縫い代の重なり部
（７）前身頃、後身頃、及び肩ヨークの縫い代と、袖の縫い代の重なり部
（８）袖の周方向における袖の一方側の縫い代と袖の他方側の縫い代の重なり部
【００２０】
ここでいう「近傍」とは、基準位置から５ｍｍ以内の範囲をいう。すなわち、「基端部の近傍」とは、基端部から５ｍｍ以内の範囲をいう。
【００２１】
本発明の構成によれば、すくい縫い部によって折り曲げ部が重なり部構成部材と縫い合わされているので、あたかも手縫いかのような印象を与えることができ、高級感を演出することができる。
本発明の構成によれば、すくい縫い部によって折り曲げ部が重なり部構成部材と縫い合わされているので、使用者が着用し、シャツにテンションがかかった場合でも、すくい縫い部がわずかに広がり、伸縮性に優れ、良好な着心地となる。
本発明の構成によれば、本縫い部によって重なり部が縫い合わせているので、使用者がシャツを着用し、シャツに過剰にテンションがかかった場合でも、重なり部の縫い目がほつれにくい。
【００２２】
請求項７に記載の発明は、前記すくい縫い部は、１本の糸によって構成されていることを特徴とする請求項６に記載のシャツである。
【００２３】
本発明の構成によれば、糸の所定部分を切ることによって、すくい縫い部をほどくことができる。
【００２４】
請求項８に記載の発明は、前記すくい縫い部は、全体として前記折り曲げ部の延び方向に沿って延びるものであり、前記すくい縫い部の延び方向の一方の端部は、前記折り曲げ部の延び方向の一方の端部から１ｃｍ以内の範囲に位置しており、前記すくい縫い部の延び方向の他方の端部は、前記折り曲げ部の延び方向の他方の端部から１ｃｍ以内の範囲に位置していることを特徴とする請求項６又は７に記載のシャツである。
【００２５】
本発明の構成によれば、折り曲げ部の一方の端部付近から他方の端部付近まですくい縫い部が形成されており、折り曲げ部の延び方向のほぼ全体がすくい縫い部によって縫い合わされているため、折り曲げ部がほつれにくく、見栄えもよい。
【００２６】
請求項９に記載の発明は、本体部と前立てを有した前身頃を備え、前記前立ては、前記本体部の縁に沿って帯状に延びるものであって、複数回裏側に折り返されて形成された折り返し部を有し、前記折り返し部と、前記本体部とに跨るすくい縫い部を備えていることを特徴とするシャツである。
【００２７】
本発明の構成によれば、すくい縫い部によって本体部と折り返し部が縫い合わされているので、あたかも手縫いかのような印象を与えることができ、高級感を演出することができる。
本発明の構成によれば、すくい縫い部によって本体部と折り返し部が縫い合わされているので、使用者が着用し、シャツにテンションがかかった場合でも、すくい縫い部がわずかに広がり、伸縮性に優れ、良好な着心地となる。
【発明の効果】
【００２８】
本発明のシャツの製造方法によれば、従来に比べて、伸縮性があり、着心地の良好なシャツを製造できる。
本発明のシャツによれば、従来に比べて、伸縮性があり、着心地が良好となる。
【図面の簡単な説明】
【００２９】
【図１】本発明の第１実施形態に係るシャツを模式的に示した正面図である。
【図２】図１のシャツの背面図である。
【図３】図１のシャツの側面図である。
【図４】図１のシャツの一部破断斜視図である。
【図５】図１のシャツを構成する前身頃形成部の平面図である。
【図６】図１のシャツを構成する後身頃形成部及び肩ヨーク形成部の平面図である。
【図７】図１のシャツを構成する袖形成部及び袖口布形成部の平面図である。
【図８】図１のシャツのヨーク接続工程の説明図であり、（ａ）は肩ヨーク形成部と後身頃形成部を接続する工程の平面図であり、（ｂ）は肩ヨーク形成部及び後身頃形成部に前身頃形成部を接続する工程の平面図である。
【図９】図１のシャツの脇線形成工程の説明図であり、（ａ）は正面図であり、（ｂ）は側面図である。
【図１０】図１のシャツの折り伏せ縫い工程の説明図であり、（ａ），（ｂ）は各工程を模式的に示す斜視図である。
【図１１】図１のシャツの折り伏せ縫い工程の説明図であり、（ａ），（ｂ）は各工程を模式的に示す斜視図である。
【図１２】図１のシャツの折り伏せ縫い工程の説明図であり、（ａ）は折り曲げ部を形成した状態を模式的に示す平面図であり、（ｂ）はすくい縫い後の状態を模式的に示す平面図である。
【図１３】図１のシャツの折り伏せ縫い工程の説明図であり、折り曲げ部をすくい縫いする際の説明図であり、（ａ）はすくい縫い開始時の状態を示す斜視図であり、（ｂ）はすくい縫い終了時の状態を示す斜視図である。
【図１４】図１のシャツの折り伏せ縫い工程の説明図であり、（ａ）はすくい縫い部の一部を解いている状況を示す斜視図であり、（ｂ）はすくい縫い部を結ぶ状況を示す斜視図である。
【図１５】図１のシャツの袖形成工程を示す斜視図である。
【図１６】図１のシャツの袖接続工程の説明図であり、（ａ）は正面図であり、（ｂ）は斜視図である。
【図１７】図１のシャツの折り伏せ縫い工程の説明図であり、（ａ）はアームホールにおけるすくい縫い途中の状態を模式的に示す斜視図であり、（ｂ）はアームホールにおけるすくい縫い後の状態を模式的に示す斜視図である。
【図１８】図１のシャツの折り伏せ縫い工程の説明図であり、（ａ）はすくい縫い部の一部を解いている状況を示す斜視図であり、（ｂ）はすくい縫い部の糸の端部を折り曲げ部内に収納させる際の状況を示す斜視図である。
【図１９】図１のシャツの折り曲げ部付近に注目した説明図であり、（ａ）は表側（外側）からみた平面図であり、（ｂ）は裏側（内側）からみた平面図である。
【図２０】本発明の第２実施形態に係る図１のシャツのヨーク接続工程の説明図であり、（ａ）は肩ヨーク形成部と後身頃形成部を接続する工程の平面図であり、（ｂ）は肩ヨーク形成部及び後身頃形成部に前身頃形成部を接続する工程の平面図である。
【図２１】本発明の第２実施形態に係るシャツの袖接続工程の説明図であり、（ａ）は正面図であり、（ｂ）は側面図である。
【図２２】本発明の第２実施形態に係るシャツの脇線・袖下線接続工程の説明図であり、（ａ）は背面図であり、（ｂ）は側面図である。
【図２３】本発明の他の実施形態に係るシャツの脇線形成工程を模式的に示す説明図であり、（ａ）〜（ｃ）は各工程を模式的に示す斜視図である。
【図２４】本発明の他の実施形態に係るシャツの脇線形成工程を模式的に示す斜視図である。
【図２５】本発明の他の実施形態に係るシャツの説明図であり、（ａ）は前身頃形成部の平面図であり、（ｂ）は後身頃形成部及び肩ヨーク形成部の平面図であり、（ｃ）は袖形成部及び袖口布形成部の平面図である。
【発明を実施するための形態】
【００３０】
以下、本発明の実施形態について詳細に説明する。なお、前後左右については、使用者が通常姿勢で着用した状態を基準とする。
【００３１】
本発明の第１実施形態のシャツ１は、長袖のワイシャツであり、図１，図２に示されるように、主要構成部位として、身頃２と、肩ヨーク３と、袖５，６と、衿７と、袖口布８，９を備え、これらの各部分が裁断した布状の生地を縫製することによって形成されている。
【００３２】
身頃２は、主に使用者の胴体を覆うものであり、一対の前身頃１０，１１と、後身頃１２から構成されている。
前身頃１０，１１は、ともにシャツ１の前面側を構成する部分である。
一方の前身頃１０は、前立て２０と、ボタン２１を有しており、他方の前身頃１１は、前立て２２と、ボタンホール２３と、必要に応じてポケット２５とを有している。
本実施形態の前身頃１０，１１の前立て２０，２２は、図４，図５から読み取れるように、裏前立てであり、前身頃形成部３５，３６の裁ち目側の部位を裏側に２回折り返し、すくい縫いによって２回目の折り返し部分の縁と各前身頃１０，１１が接続されている。
後身頃１２は、シャツ１の後面側を構成し、肩ヨーク３下から裾までの部分である。
【００３３】
肩ヨーク３は、肩から背中にかけての切り替え部であり、前身頃１０，１１と後身頃１２を接続する部分である。
袖５，６は、使用者の腕を覆う部位であり、筒状に延びた部位である。
衿７は、肩ヨーク３及び前身頃１０，１１に取り付けられ、使用者の首の周囲を囲む部位である。
袖口布８，９は、袖５，６の袖口に縫い付けられ、袖５，６の袖口を補強する部位である。
【００３４】
上記したように、本実施形態のシャツ１は、身頃２、肩ヨーク３、及び袖５，６のそれぞれの縫製方法を主な特徴の一つとしている。そこで、身頃２、肩ヨーク３、及び袖５，６の構成部材に注目して、以下説明する。
【００３５】
身頃２、肩ヨーク３、及び袖５，６は、図５，図６，図７から読み取れるように、それぞれ身頃形成部３０と、肩ヨーク形成部３１ａ，３１ｂと、袖形成部３２，３３と、袖口布８，９が縫製されて構成されている。
身頃形成部３０、肩ヨーク形成部３１ａ，３１ｂ、袖形成部３２，３３、及び袖口布８，９は、いずれも布状の生地を裁断したものである。
【００３６】
身頃形成部３０は、図５，図６に示されるように、前身頃形成部３５，３６と、後身頃形成部３７から構成されている。
前身頃形成部３５，３６は、前身頃１０，１１を形成するものであり、図５に示されるように、本体部４０と、第１縫い代部４１と、第２縫い代部４２と、第３縫い代部４３と、第４縫い代部４５を備えている。
【００３７】
本体部４０は、前身頃１０，１１の大部分を構成し、使用者がシャツ１を着用したときに表側に露出する部位である。
【００３８】
第１縫い代部４１は、後身頃形成部３７と縫い合わせて、図３に示される脇線１５を形成する部位であり、前身頃１０，１１を形成した際に、前身頃形成部３５，３６の身幅方向の外側端部を構成する部位である。
第１縫い代部４１は、図５に示されるように、縫い代本体５０と、張出部５１，５２を備えている。
縫い代本体５０は、裁ち目（外側縁）に沿って延びる帯状部位である。
張出部５１，５２は、縫い代本体５０の延び方向の延長上に設けられ、縫い代本体５０の両端部から延び方向に張り出した部位である。
【００３９】
第２縫い代部４２は、裁ち目に沿って延びる部位であり、図９に示されるようにシャツ１を縫製する際に、後身頃形成部３７及び肩ヨーク形成部３１とともにアームホール１４５ａ，１４５ｂを構成し、袖形成部３２，３３と縫い合わされる部位である。
【００４０】
第３縫い代部４３は、肩ヨーク形成部３１ａ，３１ｂと縫い合わせる部位である。
【００４１】
第４縫い代部４５は、前立て２０，２２を構成する部位であり、前身頃１０，１１を形成した際に、身幅方向の内側端部（中央側端部）を構成する部位である。
第４縫い代部４５は、縫い代本体５５と、張出部５６，５７を備えている。
縫い代本体５５は、裁ち目（内側縁）に沿って延びる帯状部位である。
張出部５６，５７は、縫い代本体５５の延び方向（長手方向）の延長上に設けられ、縫い代本体５５の両端部から延び方向に張り出した部位である。
【００４２】
後身頃形成部３７は、後身頃１２を形成するものであり、図６に示されるように、本体部６０と、第１縫い代部６１ａ，６１ｂと、第２縫い代部６２ａ，６２ｂと、第３縫い代部６３を備えている。
【００４３】
本体部６０は、後身頃１２の大部分を構成し、使用者がシャツ１を着用したときに表側に露出する部位である。
【００４４】
第１縫い代部６１ａ，６１ｂは、前身頃形成部３５，３６と縫い合わせて脇線１５を形成する部位であり、身幅方向の外側両端部を構成する部位である。
第１縫い代部６１ａ，６１ｂは、縫い代本体７０と、張出部７１，７２を備えている。
縫い代本体７０は、裁ち目に沿って延びる帯状部位である。
張出部７１，７２は、縫い代本体７０の延び方向（長手方向）の延長上に設けられ、縫い代本体７０の両端部から延び方向に張り出した部位である。
【００４５】
第２縫い代部６２ａ，６２ｂは、裁ち目に沿って曲線状に延びた部位であり、図９に示されるようにシャツ１を縫製する際に、アームホール１４５ａ，１４５ｂの一部を構成し、袖形成部３２，３３と縫い合わされる部位である。
【００４６】
第３縫い代部６３は、肩ヨーク形成部３１ａ，３１ｂと縫い合わせる部位であり、全体として身幅方向に曲線状に延びている。
【００４７】
肩ヨーク形成部３１ａ，３１ｂは、肩ヨーク３を形成する部位である。
肩ヨーク形成部３１ａ，３１ｂは、図６に示されるように、本体部８０と、第１縫い代部８１ａ，８１ｂと、第２縫い代部８２ａ，８２ｂと、第３縫い代部８３を備えている。
【００４８】
本体部８０は、肩ヨーク３の大部分を構成する部位であり、使用者がシャツ１を着用したときに表側に露出する部位である。
第１縫い代部８１ａ，８１ｂは、前身頃形成部３５，３６と縫い合わせる部位である。
第２縫い代部８２ａ，８２ｂは、裁ち目に沿って曲線状に延びた部位であり、図９に示されるようにシャツ１を縫製する際に、アームホール１４５ａ，１４５ｂの一部を構成し、袖形成部３２，３３と縫い合わされる部位である。
第３縫い代部８３は、後身頃形成部３７と縫い合わせる部位である。
【００４９】
袖形成部３２，３３は、袖５，６を形成するものであり、図７に示されるように、本体部９０と、第１縫い代部９１と、第２縫い代部９２と、第３縫い代部９３と、第４縫い代部９４を備えている。
【００５０】
本体部９０は、袖５，６の大部分を構成する部位であり、使用者がシャツ１を着用したときに表側に露出する部位である。
【００５１】
第１縫い代部９１は、第３縫い代部９３と縫い合わせて、図３に示される袖下線１６を形成する部位であり、一方の端部を構成する部位である。
第１縫い代部９１は、図７に示されるように、縫い代本体１００と、張出部１０１，１０２を備えている。
縫い代本体１００は、縁に沿って延びる帯状部位である。
張出部１０１，１０２は、縫い代本体１００の延び方向（長手方向）の延長上に設けられ、縫い代本体１００の両端部から延び方向に張り出した部位である。
【００５２】
第２縫い代部９２は、シャツ１を縫製する際に、形成部３５，３６，３７，３１ａ，３１ｂで構成されるアームホール１４５ａ，１４５ｂと縫い合わせる部位である。
【００５３】
第３縫い代部９３は、第１縫い代部９１と縫い合わせて袖下線１６を形成する部位であり、他方の端部を構成する部位である。
第３縫い代部９３は、縫い代本体１１０と、張出部１１１，１１２を備えている。
縫い代本体１１０は、裁ち目に沿って延びる帯状部位である。
張出部１１１，１１２は、縫い代本体１１０の延び方向（長手方向）の延長上に設けられ、縫い代本体１００の両端部から延び方向に張り出した部位である。
【００５４】
第４縫い代部９４は、袖口布８，９を縫い合わせる部位である。
【００５５】
袖口布８，９は、袖形成部３２，３３に縫製することにより、袖口を補強する部位である。
【００５６】
続いて、本発明のシャツ１の製造方法について説明する。なお、本発明の特徴的部分について詳細に説明し、他の部分は公知の方法と同様であるから、省略又は簡単に説明する。
【００５７】
本実施形態のシャツ１の製造方法は、主要工程として、前立て形成工程と、ヨーク接続工程と、脇線形成工程と、袖形成工程と、袖接続工程を含んでいる。
【００５８】
前立て形成工程では、図４から読み取れるように、前身頃形成部３５，３６の第４縫い代部４５，４５を２回折り返し、第１折り返し部１２０と、第２折り返し部１２１を形成する。そして、第１折り返し部１２０と第２折り返し部１２１との境界部分近傍と、本体部４０をすくい縫いによって縫い合わせ、前立て側すくい縫い部１２５を形成し、前立て２０を形成する。
【００５９】
このとき、図４に示される前立て２０の幅Ｄ（本体部４０と第１折り返し部１２０との境界部分から第１折り返し部１２０と第２折り返し部１２１との境界部分の幅）は、１ｃｍ以上７ｃｍ以下であることが好ましい。
なお、前立て側すくい縫い部１２５は、後述するすくい縫い部１５６と同様の縫い目となっている。
【００６０】
前立て形成工程とは別途工程にて、ヨーク接続工程を実施する。
具体的には、図８（ａ）に示されるように、２枚の肩ヨーク形成部３１ａ，３１ｂの第３縫い代部８３，８３で後身頃形成部３７の第３縫い代部６３を挟み、肩ヨーク形成部３１ａ，３１ｂ及び後身頃形成部３７の３枚の生地に対して本縫いミシンによって本縫いし、肩ヨーク形成部３１ａ，３１ｂを開く。そして、図８（ｂ）に示されるように、肩ヨーク形成部３１ａ，３１ｂの第１縫い代部８１ａ，８１ｂ，８１ａ，８１ｂと前身頃形成部３５，３６の第３縫い代部４３，４３を本縫いミシンによって本縫いして縫い合わせる。
【００６１】
その後、図９に示されるように、前身頃形成部３５，３６の第１縫い代部４１，４１と、後身頃形成部３７の第１縫い代部６１ａ，６１ｂを縫い合わせ、脇線１５を形成し（脇線形成工程）、形成部３５，３６，３７，３１ａ，３１ｂによって、アームホール１４５ａ，１４５ｂを形成する。そして、この脇線形成工程において、本発明の特徴の一つである折り伏せ縫い工程を実施する。
【００６２】
具体的には、折り伏せ縫い工程では、図１０（ａ），図１０（ｂ）から読み取れるように、後身頃形成部３７の第１縫い代部６１ａ，６１ｂの一部が前身頃形成部３５，３６の第１縫い代部４１，４１から張り出した第２張出部１４９，１５０が形成されるように、前身頃形成部３５，３６の第１縫い代部４１，４１と、後身頃形成部３７の第１縫い代部６１ａ，６１ｂを重ねて重なり部１５１，１５２を形成する（重なり部形成工程）。
すなわち、前身頃形成部３５，３６と後身頃形成部３７は、重なり部１５１，１５２を構成する重なり部構成部材である。
【００６３】
重なり部形成工程を実施した後、本縫い工程を実施する。すなわち、図１１（ｂ）に示されるように、折り曲げ部１５３，１５４の後身頃形成部３７側端部（折り曲げ方向基端部）又はその近傍を縁に沿って、本縫いミシンによって本縫いを行い、縫い領域１６０ａ，１６０ｂに本縫い部１５５，１５５を形成する。
【００６４】
このとき、本縫い部１５５，１５５は、縫い方向において、縫い領域１６０ａ，１６０ｂ全域に亘って形成されている。
【００６５】
続いて、図１０（ｂ），図１１（ａ）から読み取れるように、重なり部１５１，１５２を前身頃形成部３５，３６と重なるように前身頃形成部３５，３６側に折り曲げ、後身頃形成部３７を開いて折り曲げ部１５３，１５４を形成する（折り曲げ部形成工程）。
【００６６】
このとき、折り曲げ部１５３，１５４と前身頃形成部３５，３６の本体部４０，４０との間で厚み方向に段差が形成されている。
またこのとき、折り曲げ部１５３，１５４では、図１２に示されるように、縫い領域１６０ａ，１６０ｂと、一方側張出領域１６１ａ，１６１ｂと、他方側張出領域１６２ａ，１６２ｂが形成されている。
縫い領域１６０ａ，１６０ｂは、前身頃形成部３５，３６の縫い代本体５０，５０と後身頃形成部３７の縫い代本体７０，７０が重なった領域である。
一方側張出領域１６１ａ，１６１ｂは、縫い領域１６０ａ，１６０ｂの一方側端部から張り出した張出領域であり、前身頃形成部３５，３６の張出部５１，５１と後身頃形成部３７の張出部７１，７１が重なった領域である。
他方側張出領域１６２ａ，１６２ｂは、縫い領域１６０ａ，１６０ｂの他方側端部から張り出した張出領域であり、前身頃形成部３５，３６の張出部５２，５２と後身頃形成部３７の張出部７２，７２が重なった領域である。
【００６７】
後述するすくい縫いを行う際に、縫い方向基端側に位置する張出領域１６１ａ，１６２ｂは、折り曲げ部１５３，１５４を右側に見て、すくい縫いの縫い方向基端側に位置した基端側張出領域であり、すくい縫いミシンの生地を保持し、すくい縫い方向の縫い領域１６０ａ，１６０ｂの基端部から縫い始めるための保持領域として機能する。
一方、縫い方向先端側に位置する張出領域１６１ｂ，１６２ａは、折り曲げ部１５３，１５４を右側に見て、張出領域１６１ａ，１６２ｂとは逆方向に張り出した先端側張出領域であり、すくい縫いミシンの生地を保持し、縫い方向における縫い領域１６０ａ，１６０ｂの先端部まですくい縫い部１５６，１５６を設けるための縫い代用張出領域として機能する。
【００６８】
縫い領域１６０ａ，１６０ｂからの張出領域１６１ａ，１６１ｂ，１６２ａ，１６２ｂの張出長さは、それぞれ上記目的に応じて適宜設計される。
基端側張出領域１６１ａ，１６２ｂの縫い領域１６０ａ，１６０ｂからの張出長さは、１ｃｍ以上６ｃｍ以下であることが好ましい。
この範囲であれば、作業の邪魔になりにくく、すくい縫いミシンで基端部から縫いやすい。
先端側張出領域１６１ｂ，１６２ａの縫い領域１６０ａ，１６０ｂからの張出長さは、１ｃｍ以上６ｃｍ以下であることが好ましい。
この範囲であれば、作業の邪魔になりにくく、すくい縫いミシンで先端部まで縫いやすい。
【００６９】
その後、図１１（ｃ），図１２（ｂ）から読み取れるように、すくい縫いにより、折り曲げ部１５３，１５４の縫い領域１６０ａ，１６０ｂと、前身頃形成部３５，３６の本体部４０，４０とに跨って縫い、すくい縫い部１５６，１５６を形成する（すくい縫い工程）。言い換えると、すくい縫い部１５６，１５６は、折り曲げ部１５３，１５４と前身頃形成部３５，３６の本体部４０，４０との段差を超えて形成される。
【００７０】
このとき、裏面にし、折り曲げ部１５３（１５４）を右側に見てすくい縫いミシンですくい縫いを行う。すなわち、前身頃形成部３５と後身頃形成部３７との縫製では、図１３に示されるように張出領域１６１ａ側（肩ヨーク形成部側）から張出領域１６２ａ側（裾側）に向かって縫い、前身頃形成部３６と後身頃形成部３７との縫製では、張出領域１６２ｂ側（裾側）から張出領域１６１ｂ側（肩ヨーク形成部側）に向かって縫う。
またこのとき、基端側張出領域１６１ａ，１６２ｂ及び先端側張出領域１６１ｂ，１６２ａが設けられている。すなわち、すくい縫いミシンの押さえは、図１３（ａ）に示されるように、基端側張出領域１６１ａ，１６２ｂを押さえた状態から開始し、図１３（ｂ）に示されるように、先端側張出領域１６１ｂ，１６２ａを押さえた状態で終了する。
そのため、すくい縫い部１５６，１５６は縫い領域１６０ａ，１６０ｂ全体に亘って形成される。すなわち、すくい縫い部１５６の延び方向の一方の端部は、折り曲げ部１５３，１５４の延び方向の一方の端部（縫い領域１６０ａ，１６０ｂの端部）から１ｃｍ以内の範囲に形成され、他方の端部は、折り曲げ部１５３，１５４の延び方向の他方の端部から１ｃｍ以内の範囲に形成されている。本縫い部１５５とすくい縫い部１５６の最大間隔は、２ｍｍ以上６ｃｍ以下であることが好ましく、１ｃｍ以上６ｃｍ以下であることがより好ましい。
【００７１】
本実施形態のすくい縫い工程では、図１４（ａ）に示されるように、縫い領域１６０を超えて先端側張出領域１６１ｂ，１６２ａの一部まですくい縫いを行ってすくい縫い部１５６，１５６を形成し、すくい縫い部１５６，１５６の端部が縫い領域１６０内に収まるまで糸を解く。
そして、図１４（ｂ）のように、すくい縫い部１５６，１５６の端部が縫い領域１６０の端部近傍まで解かれると、糸の端部をすくい縫い部１５６，１５６の裏側傾斜部１７７を構成する環状部１６５に通してすくい縫い部１５６，１５６が解けないように結ぶ。
【００７２】
その後、必要に応じて、張出領域１６１ａ，１６１ｂ，１６２ａ，１６２ｂを除去する張出領域除去工程を行う。すなわち、張出領域１６１ａ，１６１ｂの大部分又は全部を第２縫い代部４２，４２，６２ａ，６２ｂの裁ち目に沿ってハサミ等によって切り取り、張出領域１６２ａ，１６２ｂの大部分又は全部を裾の裁ち目に沿ってハサミ等によって切り取る。
張出領域１６１ａ，１６１ｂ，１６２ａ，１６２ｂは、全体の８０％以上を切り取ることが好ましく、全体の９５％以上を切り取ることがより好ましい。
【００７３】
また、上記と別途工程にて、図１５に示されるように、袖形成部３２，３３を筒状に丸めて、第１縫い代部９１と第３縫い代部９３を縫い合わせて袖５，６を形成する（袖形成工程）。
そして、この袖形成工程においても、上記と同様、本発明の特徴の一つである折り伏せ縫い工程を実施する。なお、上記の脇線形成工程と同様のものについては、同様の付番を付けて説明を省略する。
【００７４】
袖形成工程の折り伏せ縫い工程では、袖形成部３２，３３の第１縫い代部９１，９１の一部が袖形成部３２，３３の第３縫い代部９３，９３から張り出した第２張出部１４９，１５０が形成されるように袖形成部３２，３３の第１縫い代部９１，９１と、袖形成部３２，３３の第３縫い代部９３，９３を重ねて重なり部１５１，１５２を形成する（重なり部形成工程）。すなわち、袖形成部３２，３３は、重なり部１５１，１５２を構成する重なり部構成部材である。
【００７５】
その後、折り曲げ部１５３，１５４の一方側の端部（折り曲げ方向基端部）又はその近傍を縁に沿って、本縫いミシンによって本縫いを行い、縫い領域１６０ａ，１６０ｂに本縫い部１５５，１５５を形成する（本縫い工程）。
【００７６】
続いて、重なり部１５１，１５２を袖形成部３２，３３と重なるように袖形成部３２，３３の一方側に折り曲げて折り曲げ部１５３，１５４を形成し、袖形成部３２，３３の他方側を開く（折り曲げ部形成工程）。
【００７７】
次に、すくい縫いにより、折り曲げ部１５３，１５４の縫い領域１６０ａ，１６０ｂと、袖形成部３２，３３とに跨って縫い、すくい縫い部１５６，１５６を形成する（すくい縫い工程）。
【００７８】
その後、必要に応じて、張出領域１６１ａ，１６１ｂ，１６２ａ，１６２ｂを除去する張出領域除去工程を行う。すなわち、張出領域１６１ａ，１６１ｂ，１６２ａ，１６２ｂの大部分又は全部を第２縫い代部９２，９２の裁ち目に沿ってハサミ等によって切り取る。
【００７９】
ヨーク接続工程及び袖形成工程を行った後、袖接続工程を行う。すなわち、図１６に示されるように、アームホール１４５ａ，１４５ｂに袖形成部３２，３３の第２縫い代部９２，９２を縫い合わせる。
具体的には、形成部３５，３７，３１ａ，３１ｂの第２縫い代部４２，６２ａ，８２ａ，８２ａと袖形成部３２，３３の第２縫い代部９２を縫い合わせ、形成部３６，３７，３１ａ，３１ｂの第２縫い代部４２，６２ｂ，８２ｂ，８２ｂと袖形成部３２，３３の第２縫い代部９２を縫い合わせる。
そして、この袖接続工程においても、上記と同様、本発明の特徴の一つである折り伏せ縫い工程を実施する。
【００８０】
袖接続工程の折り伏せ縫い工程では、袖形成部３２の第２縫い代部９２の一部が形成部３５，３７，３１ａ，３１ｂの第２縫い代部４２，６２ａ，８２ａ，８２ａから張り出した第２張出部１４９が形成されるように、袖形成部３２の第２縫い代部９２と、形成部３５，３７，３１ａ，３１ｂの第２縫い代部４２，６２ａ，８２ａ，８２ａを重ねて重なり部１５１を形成する。
同様に、袖形成部３３の第２縫い代部９２の一部が形成部３６，３７，３１ａ，３１ｂの第２縫い代部４２，６２ｂ，８２ｂ，８２ｂから張り出した第２張出部１５０が形成されるように、袖形成部３３の第２縫い代部９２と、形成部３６，３７，３１ａ，３１ｂの第２縫い代部４２，６２ｂ，８２ｂ，８２ｂを重ねて重なり部１５２を形成する（重なり部形成工程）。
すなわち、形成部３２，３３，３５，３６，３７，３１ａ，３１ｂは、いずれも重なり部１５１，１５２を構成する重なり部構成部材である。
【００８１】
このとき、必要に応じて、図３のように、前身頃形成部３５，３６と後身頃形成部３７の縫い合わせ部分である脇線１５と、袖形成部３２，３３の周方向の縫い合わせ部分である袖下線１６の位置をアームホール１４５の周方向にずれるように重ねる。
具体的には、脇線１５と袖下線１６が周方向に０ｍｍ以上３５ｍｍ以下の範囲でずれるように重ねる。脇線１５と袖下線１６が周方向に１０ｍｍ以上３５ｍｍ以下の範囲でずれるように重ねることが好ましい。
なお、「脇線１５と袖下線１６が周方向に０ｍｍずれる」とは、脇線１５と袖下線１６の直線状に並んでおり、端部同士が一致していることをいう。
【００８２】
そして、本縫い工程を実施する。すなわち、折り曲げ部１５３，１５４の一方側の端部（折り曲げ方向基端部）又はその近傍を縁に沿って、本縫いミシンによって本縫いを行い、縫い領域１６０ａ，１６０ｂに本縫い部１５５，１５５を形成する。
【００８３】
続いて、重なり部１５１を、形成部３５，３７，３１ａ，３１ｂと重なるように形成部３５，３７，３１ａ，３１ｂ側に折り曲げて折り曲げ部１５３を形成し、袖形成部３２の他方側を開く。同様に、重なり部１５２を形成部３６，３７，３１ａ，３１ｂ側に折り曲げて折り曲げ部１５４を形成し、袖形成部３３の他方側を開く（折り曲げ部形成工程）。
【００８４】
次に、すくい縫い工程を行う。すなわち、すくい縫いにより、折り曲げ部１５３の縫い領域１６０ａと、形成部３５，３７，３１ａ，３１ｂの本体部４０，６０，８０，８０とに跨って縫い、すくい縫い部１５６を形成する。同様に、すくい縫いにより、折り曲げ部１５４の縫い領域１６０ｂと、形成部３６，３７，３１ａ，３１ｂの本体部４０，６０，８０，８０とに跨って縫い、すくい縫い部１５６を形成する。
【００８５】
このとき、裏面にし、折り曲げ部１５３，１５４を右側に見てすくい縫いミシンですくい縫いを行い、アームホール１４５ａ，１４５ｂを一周するように、折り曲げ部１５３，１５４の延び方向に沿って縫う。そのため、すくい縫いミシンの押さえは常に折り曲げ部１５３，１５４を押さえることができるので、すくい縫い部１５６，１５６は、周方向に一周して形成され、縫い領域１６０ａ，１６０ｂの縫い方向全域に設けられる。
【００８６】
本実施形態のすくい縫い工程では、図１７（ａ），図１７（ｂ）に示されるように、すくい縫い部１５６，１５６の基端部からアームホール１４５ａ，１４５ｂを一周し、さらにすくい縫い部１５６，１５６の基端部とすくい縫い部１５６，１５６の先端部が周方向に重なるように縫う。
その後、図１８（ａ）に示されるように、すくい縫い部１５６，１５６の基端部の位置がすくい縫い部１５６，１５６の先端部の位置と揃うまで糸を解く。そして、すくい縫い部１５６，１５６の基端部の位置がすくい縫い部１５６，１５６の先端部の位置が揃うまで解かれると、糸の端部をすくい縫い部１５６，１５６の環状部１６５に通し、すくい縫い部１５６，１５６が解けないように、すくい縫い部１５６，１５６の基端部分１６６と先端部分１６７を複数回固結びで結ぶ。
その後、図１８（ｂ）に示されるように、縫い針によって、すくい縫い部１５６，１５６の基端部と先端部を折り曲げ部１５４の内側から通す。
【００８７】
その後、必要に応じて、衿７や袖口布８，９を縫い付けてシャツ１が完成する。
【００８８】
続いて、シャツ１の各主要縫い目である、本縫い部１５５及びすくい縫い部１５６について、さらに詳細について説明する。
【００８９】
本縫い部１５５は、本縫いによって形成されるステッチであり、２本以上の糸が絡み合って直線状に構成される縫い目である。本実施形態では、下糸と上糸の２本の糸が絡み合って形成されている。
【００９０】
本縫い部１５５は、図１９（ｂ）に示されるように、裏側（隠れる側）から平面視したときに複数の裏側直線部１７１から構成されている。
裏側直線部１７１は、折り曲げ部１５３，１５４の各形成部（例えば、前身頃形成部３５と後身頃形成部３６）間の境界部分に沿って直線状に並んでおり、いずれの裏側直線部１７１の長さも等しい。
裏側直線部１７１の長さは、表側直線部１７０の長さと実質的に等しく、０．５ｍｍ以上３ｍｍ以下であることが好ましい。すなわち、本縫い部１５５の針目のピッチは、０．５ｍｍ以上３ｍｍ以下であることが好ましい。
これらの範囲であれば、使用者がシャツ１を着て動作を行い力が加わっても折り曲げ部１５３，１５４が外れにくい。
【００９１】
すくい縫い部１５６は、すくい縫いによって形成されるステッチであり、１本の糸が絡み合って構成される縫い目である。
すくい縫い部１５６は、図１９（ａ）に示されるように、表側から平面視したときに、複数の表側縫い部１７５から構成されている。
表側縫い部１７５は、点状であって、折り曲げ部１５３（１５４）の縁と実質的に平行に配されている。
表側縫い部１７５の並設方向の長さは、０ｍｍ超過１ｍｍ以下であることが好ましい。
表側縫い部１７５の並設方向の間隔は、表側縫い部１７５の並設方向の長さよりも大きく、４ｍｍ以上１５ｍｍ以下であることが好ましい。
この範囲であれば、表側から縫い目が目立ちにくく、折り曲げ部１５３，１５４が外れにくい。
【００９２】
すくい縫い部１５６は、図１９（ｂ）に示されるように、裏側から平面視したときに、複数の裏側直線部１７６と、複数の裏側傾斜部１７７を備えている。
裏側直線部１７６は、折り曲げ部１５３，１５４の縁（輪奈部）に沿って直線状に並んでおり、いずれの裏側直線部１７６の長さも等しい。
裏側直線部１７６の長さは、４ｍｍ以上１５ｍｍ以下であることが好ましい。
裏側傾斜部１７７は、裏側直線部１７６，１７６間の境界付近から裏側直線部１７６の並設方向に対して交差する方向に延びており、折り曲げ部１５３，１５４の縁（輪奈部）を跨って形成されている。すなわち、裏側傾斜部１７７は、裏側直線部１７６の延び方向成分と、裏側直線部１７１の延び方向に対して直交する成分を持っている。
裏側傾斜部１７７の先端部分は、裏側直線部１７１よりも基端側に位置しており、それぞれ実質的に平行になるように並んでいる。
【００９３】
第１実施形態のシャツ１によれば、形成部間をすくい縫いによって、縫い合わせるため、表側から縫い目が見えにくく、見栄えが良い。また、使用者がシャツ１を着用し、シャツ１のアームホール１４５ａ，１４５ｂ付近にテンションがかかった場合でも、袖５，６とアームホール１４５ａ，１４５ｂとを接続するすくい縫い部１５６，１５６がわずかに広がるため、伸縮性に優れ、良好な着心地となる。
また、第１実施形態のシャツ１によれば、形成部間をすくい縫いの他に本縫いによっても縫い合わせているため、使用者がシャツ１を着用し、シャツ１のアームホール１４５ａ，１４５ｂ付近に過剰にテンションがかかった場合でも、縫い目がほつれにくい。
【００９４】
続いて、本発明の第２実施形態のシャツについて説明する。なお、第１実施形態のシャツ１と同様の構成については、同一の付番を付して説明を省略する。
【００９５】
本発明の第２実施形態のシャツは、第１実施形態のシャツ１と製造方法が異なる。そこで、以下、第２実施形態のシャツの製造方法について説明する。
【００９６】
第２実施形態のシャツの製造方法は、前立て形成工程と、ヨーク接続工程と、袖接続工程と、脇線・袖下線接続工程を含んでおり、袖接続工程と、脇線・袖下線接続工程が第１実施形態と異なる。また、前身頃形成部３５，３６と、後身頃形成部３７と、袖形成部３２，３３に張出部５１，７１，１０１が設けられていない。
【００９７】
シャツの製造方法は、ヨーク接続工程の後に、袖接続工程に実施する。
すなわち、図２０に示されるヨーク接続工程によって、前身頃形成部３５，３６と、肩ヨーク形成部３１ａ，３１ｂと、後身頃形成部３７を接続する。
その後、図２１に示される袖接続工程によって、前身頃形成部３５と、後身頃形成部３７と、肩ヨーク形成部３１ａ，３１ｂとの第２縫い代部４２，６２ａ，８２ａ，８２ａに対して袖形成部３２の第２縫い代部９２を縫い合わせ、アームホール１４５に袖形成部３２を接続する。同様に、前身頃形成部３６と、後身頃形成部３７と、肩ヨーク形成部３１ａ，３１ｂとの第２縫い代部４２，６２ｂ，８２ｂ，８２ｂに対して袖形成部３３の第２縫い代部９２を縫い合わせ、アームホール１４５に袖形成部３３を接続する。
この袖接続工程において、第１実施形態と同様、折り伏せ縫い工程を実施する。すなわち、重なり部形成工程、折り曲げ部形成工程、本縫い工程、及びすくい縫い工程を行う。
【００９８】
その後、図２２に示されるアームホール１４５に袖形成部３２，３３が接続された状態で脇線・袖下線接続工程を実施し、前身頃形成部３５，３６の第１縫い代部４１，４１と後身頃形成部３７の第１縫い代部６１ａ，６１ｂとでなす脇線１５と、袖形成部３２，３３の第１縫い代部９１，９１と袖形成部３２，３３の第３縫い代部９３，９３とでなす袖下線１６に対してそれぞれ一連となって縫い合わせる。
この脇線・袖下線接続工程においても、折り伏せ縫い工程を実施する。すなわち、重なり部形成工程、折り曲げ部形成工程、折り曲げ部形成工程、及びすくい縫い工程を行う。
【００９９】
その後、必要に応じて、衿７や袖口布８，９を縫い付けてシャツ１が完成する。
【０１００】
第２実施形態のシャツの製造方法によれば、脇線１５及び袖下線１６を同時に縫い合わせるため、製造工程を省略することができる。
【０１０１】
上記した実施形態では、地縫いとして本縫いを行ったが、本発明はこれに限定されるものではない。地縫いの代わりに熱硬化樹脂シール等の粘着材や接着剤等によって接着し、すくい縫いを行ってもよい。
【０１０２】
上記した実施形態では、折り曲げ部形成工程において、重なり部１５１，１５２を一方の形成部側に折り曲げて、重なり部１５１，１５２の縁が一方の形成部側にくるように配していたが、本発明はこれに限定されるものではない。
折り曲げ部形成工程において、重なり部１５１，１５２の縁を他方の形成部側に来るように折り曲げてもよい。例えば、脇線形成工程では、図２３に示されるように重なり部１５１，１５２の先端縁が後身頃形成部３７側に位置するように配してもよい。
【０１０３】
上記した実施形態では、一方の形成部の縫い代部の端部を覆うように他方の形成部の縫い代部の中間部を折り曲げて重なり部を形成していたが、本発明はこれに限定されるものではない。一方の形成部の縫い代部の端部と他方の形成部の縫い代部の端部が揃うように重ねり部を形成してもよい。
例えば、脇線形成工程では、図２４に示されるように第１縫い代部４１の端部と第１縫い代部６１ａの端部を揃えて、これを端部とする重なり部を形成してもよい。この場合、この端部にすくい縫いを行うことになる。
【０１０４】
上記した実施形態では、片方の張出部につき、２回以上折り曲げられ、張出部同士を重ね合わせて張出領域が形成されていたが、本発明はこれに限定されるものではない。
片方の張出部につき、１回折り曲げられ、張出部同士を重ね合わせて張出領域を形成してもよい。
【０１０５】
上記した実施形態では、縫い合わせる形成部の双方に張出部を設け、張出領域を形成したが、本発明はこれに限定されるものではない。縫い合わせる形成部の少なくとも一方に張出部を形成して張出領域が形成されてもよい。
【０１０６】
上記した実施形態では、長袖シャツの場合について説明したが、本発明はこれに限定されるものではない。シャツは半袖シャツであってもよい。
【０１０７】
上記した第１実施形態では、第１縫い代部４１の延び方向に張出部５１が形成された前身頃形成部３５，３６について説明したが、本発明はこれに限定されるものではない。図２５（ａ）に示されるように、張出部５１は、第１縫い代部４１の延び方向に対して交差する方向に張り出していてもよい。
同様に、上記した第１実施形態では、第１縫い代部６１ａ，６１ｂの延び方向に張出部７１，７１が形成された後身頃形成部３７について説明したが、本発明はこれに限定されるものではない。図２５（ｂ）に示されるように、張出部７１，７１は、第１縫い代部６１ａ，６１ｂの延び方向に対して交差する方向に張り出していてもよい。
さらに、上記した第１実施形態では、第１縫い代部９１の延び方向に張出部１０１が形成された袖形成部３２，３３について説明したが、本発明はこれに限定されるものではない。図２５（ｃ）に示されるように、張出部１０１は、第１縫い代部９１の延び方向に対して交差する方向に張り出していてもよい。
【符号の説明】
【０１０８】
１  シャツ
３  肩ヨーク
５，６  袖
１０，１１  前身頃
１２  後身頃
３０  身頃形成部
３１  肩ヨーク形成部
３２，３３  袖形成部
３５，３６  前身頃形成部
３７  後身頃形成部
１４５ａ，１４５ｂ  アームホール
１５１，１５２  重なり部
１５３，１５４  折り曲げ部
１５５  本縫い部
１５６  すくい縫い部
１６０  縫い領域
１６１，１６２  張出領域
【図１】
2018104863.tif 000003
【図２】
2018104863.tif 000004
【図３】
2018104863.tif 000005
【図４】
2018104863.tif 000006
【図５】
2018104863.tif 000007
【図６】
2018104863.tif 000008
【図７】
2018104863.tif 000009
【図８】
2018104863.tif 000010
【図９】
2018104863.tif 000011
【図１０】
2018104863.tif 000012
【図１１】
2018104863.tif 000013
【図１２】
2018104863.tif 000014
【図１３】
2018104863.tif 000015
【図１４】
2018104863.tif 000016
【図１５】
2018104863.tif 000017
【図１６】
2018104863.tif 000018
【図１７】
2018104863.tif 000019
【図１８】
2018104863.tif 000020
【図１９】
2018104863.tif 000021
【図２０】
2018104863.tif 000022
【図２１】
2018104863.tif 000023
【図２２】
2018104863.tif 000024
【図２３】
2018104863.tif 000025
【図２４】
2018104863.tif 000026
【図２５】
2018104863.tif 000027